(57)【要約】【課題】品物や人を輸送するトンネルに要求される様々な安全機能を統合することができる手すり機能を備えた照明具を提供することである【解決手段】例えば、トンネル内で手すりとなりうる照明具に、Ｖ字型凹部、Ｖ字型凹部の片面に光源を収容するキャビティ、残りの片面に発光性被覆を施した薄膜或いは箔、Ｖ字型凹部に透明な薄膜、消火用媒体を通すためのキャビティ、照明具固定用のＴ字型凹部を備えることにより、緊急事態時においても人間の脱出を助ける安全性の高い多機能の照明具を提供することにより解決した。【特許請求の範囲】
【請求項１】
断面が実質的に丸型或いは角型形状を有する細長いボディ（１）を有し、ボディ端には複数の照明具のボディを互いに連続して繋ぐ結合手段が備えられ、該照明具には少なくとも光源或いは光分配器が設けられた照明具であって、ボディ（１）の外側に、ボディの長手方向に延び、断面がほぼＶ字型である凹部の範囲を規定する面（８、９）を有し、該面の一つ（８）にはボディ中に収容された光源或いは光分配器からの光線用開口部（１１）が設けられていることを特徴とする照明具。
【請求項２】
Ｖ字型凹部の開口部が設けられていない方の面（９）には、発光性被覆薄膜或いは箔（５）が施されていることを特徴とする請求項１に記載された照明エレメント。
【請求項３】
Ｖ字型凹部の面（８、９）が互いに鈍角を形成しており、且つ、約１２０度の角度をなすことを特徴とする請求項１又は２に記載された照明具。
【請求項４】
Ｖ字型凹部が照明具内の偏った場所に存在することを特徴とする請求項１乃至３のいずれかに記載された照明具。
【請求項５】
照明具は、更に、ボディ内に在って長手方向に延びた連続したキャビティ（７）を備え、該キャビティ（７）は媒体、特に、消火用媒体を保持するのに適していることを特徴とする請求項１乃至４のいずれかに記載された照明具。
【請求項６】
照明具中のキャビティ（７）はその両端を、同様の照明具に結合可能な遮蔽材によって塞がれていることを特徴とする請求項５に記載された照明具。
【請求項７】
Ｖ字型凹部が、透明で、好ましくは取り外し可能な薄膜によって閉じられていることを特徴とする請求項１乃至６のいずれかに記載された照明具。
【請求項８】
光源或いは光分配器が、サイドグローケーブルを含んでいることを特徴とする請求項１乃至７のいずれかに記載された照明具。
【請求項９】
照明具がプラスチックにより、好ましくは引き抜き成型されたポリエステルにより形成されていることを特徴とする請求項１乃至８のいずれかに記載された照明具。
【請求項１０】
光源或いは光分配器（４）が少なくともその一部にＬＥＤアレーを有していることを特徴とする請求項１乃至９のいずれかに記載された照明具。
【請求項１１】
トンネル或いは階段に取り付けられた安全性の高い構造体であって、互いに結合された一連の照明具を備え、前記各照明具は断面が実質的に丸型或いは角型である細長いボディと、ボディ端に複数の照明具のボディを互いに連続して繋ぐ結合手段を備えると共に、該照明具には少なくとも光源或いは光分配器、及び支持手段或いは取り付け手段を収容する凹部領域が設けられ、当該凹部領域は光源或いは光分配器から少なくとも或る距離をおいた場所に配置されている構成を備え、ボディ（１）の外部側部にボディの長手方向に延びかつ断面がほぼＶ字型である凹部の範囲を規定する面（８、９）を有し、該複数の面（８、９）は鈍角を形成し、該面の一つ（８）にはボディ中に収容された光源或いは光分配器から発される光線のための開口部（１１）が設けられていることを特徴とした構造体。
【請求項１２】
開口部が設けられていない方のＶ字型凹部面（９）に、発光性の薄膜或いは箔（５）が施されていることを特徴とする請求項１１に記載された構造体。
【請求項１３】
照明具には、ボディ中に存在し、長手方向に連続的に延びるキャビティ（７）が備えられ、該キャビティは媒体、特に消火用媒体を運搬するのに適していることを特徴とする請求項１１又は１２に記載された構造体。
【請求項１４】
消火用媒体供給部が一連の照明具のキャビティに接続されたことを特徴とする請求項１３に記載された構造体。
【請求項１５】
照明具或いは安全性構造体を備えた請求項１乃至１４のいずれかに記載されたトンネル。
【請求項１６】
蓄電池を備え、更に、照明具の消火用媒体にホルダーを着脱可能に接続する結合手段を備えた請求項１乃至１０のいずれかに記載されたホルダー。
【発明の詳細な説明】
【０００１】
【発明の属する技術分野】
本発明は、例えば、トンネル内で安全性の高い構造体として使用可能な照明具に関するものである。
【０００２】
特に、本発明は、断面がほぼ丸型或いは角型であることが好ましい細長いボディを有し、ボディ端には複数の照明具のボディを互いに連続して繋ぐ結合手段が備えられ、該照明具には少なくとも光源或いは光分配器が設けられた照明具に関するものである。
【０００３】
【従来の技術】
現在、トンネル内に存在する最も安全性の高い特徴を有する構造体としては、互いに離れて取り付けられる分離されたデバイスから構成されている。例えば、車の運転者がトンネル内を見ることを確実にするために、１５ｍ内外の間隔で取り付けられた照明ボックスがある。歩行者が自分が何処を歩いているかを知ることができるように、同じ配置が歩行者用トンネルにも採用されている。
【０００４】
更に、トンネルや建物の壁に取り付けられ、何かに掴まる手すりにもよく使用されている。両方の手段の組み合わせ、即ち照明が供された手すりは、例えば米国特許第５，０９９，４０２号により知られている。しかし、手すりの手乗せ台は人間による接触の場合のみ点灯可能という照明であるので、この手すりは道路トンネル或いは鉄道トンネル用に使用するには不向きである。
【０００５】
【特許文献１】
米国特許第５、０９９、４０２号
【０００６】
【特許文献２】
米国特許第５、３９６、７４０号
【０００７】
【発明が解決しようとする課題】
本発明の目的は、上述の用途に適した、改良された照明具を備えた手すりを提供するものである。
【０００８】
特に、本発明の目的は、品物や人を輸送するトンネルが持たねばならない、いくつものの安全機能を統合できる照明具を有した手すりを提供することである。
【０００９】
【課題を解決するための手段】
更に、本発明は、ボディの外側に、ボディの長手方向に延びかつ断面がほぼＶ字型である凹部の範囲を規定する面を有し、該複数の面は鈍角を形成することが好ましく、該面の一つにはボディ中に収容された光源或いは光分配器から発される光線のための開口部が設けられていることを特徴とした、前述したタイプの照明具に関するものである。
【００１０】
光源或いは光分配器が、好ましくは照明具ボディ内側のＶ字型凹部面に開けられた連続した開口部の内側底部に位置することによって、各備品が正しい場所に位置する場合、ストロボ効果により人が幻惑されることを防止している。更に、列車、自動車等用のトンネル内で使用される場合、永続的に放射される光の列は、数メートル間隔で取り付けられた従来の裸照明具に比較し、運転者に対して更に妨害されない状況を提供する。
【００１１】
Ｖ字型凹部の開口部が設けられていない方の面には、発光性被覆、例えば薄膜或いは箔が施されていることが好ましい。
【００１２】
発光性部品が備えられた手すりは本来、米国特許第５，３９６，７４０号として知られていることは留意すべきである。しかし、この公知の手すりには他の機能は何もついていない。
【００１３】
照明具の発光性材料は、光源或いは光分配器が位置する面と隣接するＶ字型凹部のもう一つの面に配置されるので、この発光性材料は連続的に光を放つ。全ての電力がストップした場合、発光性薄膜或いは発光性箔は緊急照明として作動し、或る一定時間、通常約６時間、以前と同じ領域を照らすことができる。
【００１４】
便宜的な実施形態によれば、本発明による照明具内のＶ字型凹部の複数の面は約１２０度の角度をなし、更にはこの凹部は器具中の偏った場所に存在してもよい。
【００１５】
本発明による照明具は、又ボディ内に在って長手方向に延びた連続したキャビティが備えられていることが好ましく、該キャビティは媒体、特に消火用媒体を運ぶのに適していることが好ましい。
【００１６】
実際面で有利である実施形態において、照明具中のこのキャビティはその両端を、同じ照明具に結合可能な遮蔽材によって塞がれ、端部によって範囲が規定されている。
【００１７】
照明機能、緊急照明機能、及び緊急事態時、即ちトンネルから脱出しようとする人に支援を提供する機能に加えて、したがって本発明による照明具は又、消火用媒体を運ぶ機能をも持っていてもよい。
【００１８】
光源或いは光分配器、及び発光性材料が汚れていくのを防ぐために、Ｖ字型凹部は、透明で、好ましくは取り外し可能な薄膜によって閉じられていることが好ましい。
【００１９】
より好ましい実施形態によると、本発明による照明具に使用される光源或いは光分配器は、サイドグローケーブルより構成されている。
【００２０】
トンネル内での様々な機能を目的として、上記スイッチボックスを収納したニッチ（窪み）が通常約６０ｍ間隔で配置されていることに留意すべきである。これらの連結点においてサイドグローケーブルの中に光を放射する光源も存在することが好ましい。
【００２１】
更に、色相環（カラーホイール）が光源とサイドグローケーブルの起点との間に配置されることがある。結果としてサイドグローケーブルより発する光の色を変化させることが可能であり、例えば光の点滅といった形の特殊な信号を発することもできる。
【００２２】
更に、該連結点に置かれた蓄電池を備えたホルダーが有ってもよく、該ホルダーには、本発明による照明具の消火用媒体供給口に該ホルダーを着脱可能に繋ぐ連結手段が備えられている。明らかに、ホースリールを有する消火栓及び／或いはタップに対して、従来知られた構成を利用することによって供給することができる。
【００２３】
前記ホルダー或いは他の公知の手段を用いて、例えばトンネル内での初期の火事を消すことは可能である。光源或いは光分配器はその一部がＬＥＤスクリーンによって形成されてもよく、信号が発生されることを可能にする。
【００２４】
本発明による照明具は、特にポリエステル樹脂を使用した、引き抜き成型されたプラスティックより形成されていることが好ましい。この材料は大変良好な電気絶縁特性を持ち、摩擦或いは磁界によって静電的に帯電されることがない。
【００２５】
この材料は、ポリエステルの充填含有量（特にグラスファイバー中）が多い場合、寸法的に非常に安定し、非常に強固である。これは又、本照明具を手すりとして使用することを可能にする。更に、該材料は良好な難燃性と低い熱伝導性を有し、災害の可能性に繋がるトンネル内で使用できる。
【００２６】
より好ましい実施形態において、光源或いは光分配器及びそれらと関連する凹部から少し距離を置いた場所に在って、かつボディの全長に亘って延びた凹部領域が、照明具のボディに又設けられており、該凹部領域内に、照明具が壁或いは他の支持体に取り付け可能な手段である支持或いは取り付け手段が収容されている。
【００２７】
【発明の実施の形態】
図１に示された照明具１のボディは、引き抜き成型されたポリエステル樹脂によって形成されることが好ましい。この材料は電気的に絶縁されており、摩擦或いは磁界の結果として照明具が活性化したり或いは静電的に帯電されることを防ぐ。
【００２８】
照明具１の外周には、Ｖ字型凹部が設けられており、その範囲は面８及び９により制限されている。この例では、これらの面８と９は互いに鈍角、ここでは、約１２０度の角度２をなしている。
【００２９】
面の一方の面８には、照明具１のボディ全長に亘って延びたキャビティ３が設けられて、当該キャビティ３の全体に亘って、開口部１１が設けられている。キャビティ３中には光源或いは光分配器４が設けられている。この光源或いは光分配器４はサイドグローケーブルを含むことが好ましい。
【００３０】
Ｖ字型凹部の面９は発光性薄膜／箔５によって被覆されていることが好ましく、特に、該発光性薄膜／箔は、薄膜／箔５の照明が終了してから少なくとも４−６時間、発光できることが望ましい。
【００３１】
Ｔ字型凹部１０は、照明具１を壁等に取り付け可能にする取り付け部品を収容するために使用される。本発明による照明具１は、壁に取り付けられると、手すりとしても又使用可能である。この場合、照明システムが存在すると、照明具１或いは手すりの位置を明確にしつつ、照明具１が配された道路或いは歩道を上部から間接的に照明できる。好ましくは、照明具１の全長に亘って照明を行うことができるため、よく照らされない道路或いは歩道の地域はなくなり、道路使用者に対して良好な視界を与える。
【００３２】
キャビティ３に収容された光源或いは光分配器４は、ＬＥＤシステム（図示さず）によって全体的に或いは部分的に構成されてもよい。これは、例えば、災害の場合、照明具１を使って情報或いはコードを表示することを可能にする。空隙３ａは、該ＬＥＤシステムに電力を供給する電力線を収容するために使用される。
【００３３】
透明薄膜６はＶ字型凹部を閉止し、埃、汚れが光源或いは配光器４と発光性薄膜／箔に達しないように構成されている。薄膜６は、例えば一定期間毎に、迅速に取り替えることができるように配置されていおくことが望ましい。
【００３４】
照明具１には又長手方向に沿ってキャビティ７が配置され、その中を例えば消火用媒体、例えば消化用水が通すことが可能である。次いで照明具１は、その両端に遮蔽材と、例えばスプリンクラーシステム或いは他の消火用媒体に接続するための、連結手段（図示せず）が備えられてもよい。
【００３５】
図２に模式的に記された配置では、取り付け部品１２が設けられており、照明具１は例えば、トンネル壁に堅固に確実に取り付け部品１２により取り付けられる。
【００３６】
コンポーネント１３は全ての電子、制御装置が収容されているシステムボックスである。従って、制御室から、例えば照明具（或いは手すり）中の光の色、周波数を変えることが可能であり、結果として起こり得る緊急事態の情報がセットコードの形で表示可能となる。更に、照明具の光強度は調節可能である。
【００３７】
従って、本発明は、建物内の吹き抜け階段、回廊丈でなく、鉄道トンネル、荷物、人を輸送するトンネル、道路トンネル、歩行者、自転車トンネル等のトンネルにも使用可能であるといった特徴を提供し、そして以下の一つ或いはそれ以上の安全機能を提案するものである。
【００３８】
１．モジュールの形に繋ぎ合わされ、その中に多くの機能が統合されている手すりによって、緊急事態に置かれた人に身体的なサポートと案内を提供する。
【００３９】
２．緊急事態に置かれた人が非常口への途中で自分が何処を歩いているのか理解できるように、トンネルの通路を示す照明機能を提供する。
【００４０】
３．緊急事態に置かれた人が非常口への道を見つけることができるように、手すりの通路を指示する連続照明機能を有している。
【００４１】
４．輸送手段の運転者に、従来の照明システムよりも明暗の差がより少ない方法で、トンネル通路の概観を提供する照明機能を有している。
【００４２】
５．完全な停電の場合においても、トンネル内に多少の照明をなお提供し、手すりと出口への道を見えるようにした緊急照明システムを提供する。
【００４３】
６．オペレータが緊急事態に対しタイミングよく反応できるよう、制御室からオペレータに対しトンネル内のいかなる緊急事態についての情報をも伝達する信号機能を提供する。
【００４４】
７．火事が初期に自動的に消火されるよう、トンネル内の消火システムに消火用媒体を供給する消火用媒体を保持機能を有している。
【００４５】
８．汚くなり易い照明具外形の部品類を覆う薄膜を、定期的に交換可能な形をとっている維持管理システムを構成することができる。
【００４６】
９．トンネル内の、通常のメインテナンス作業或いは検査作業に対しての作業用照明の提供する。
【００４７】
１０．蛍光灯による照明を使用した場合、カメラによるトンネル内のモニタリングは、二つの蛍光灯ボックスよりも先を見ることは殆どできない。本発明による装置を使って形成された拡散光は、トンネル内がよりうまくモニターできるよう、より遠くまでモニタニングできる。
【図面の簡単な説明】
【図１】
本発明による照明具の好ましい形態の断面図である。
【図２】
図１に示された照明具の実際の使用状態を示す図である。
【国際公開パンフレット】
2004510297.tif 000002
2004510297.tif 000003
2004510297.tif 000004
2004510297.tif 000005
2004510297.tif 000006
2004510297.tif 000007
2004510297.tif 000008
2004510297.tif 000009
2004510297.tif 000010
2004510297.tif 000011
2004510297.tif 000012
2004510297.tif 000013
2004510297.tif 000014
2004510297.tif 000015
【国際調査報告】
2004510297.tif 000016
2004510297.tif 000017
2004510297.tif 000018